(57)【要約】【課題】  ＴＶ装置とＨＤＭＩケーブルで接続するＡＶアンプ装置において、容易に高精度なリップシンクを実現するＡＶアンプ装置を提供する。【解決手段】  音声テストデータ発生部と、音声テストデータを遅延させて出力する音声データ遅延部と、遅延された音声テストデータを増幅された音声テスト信号として出力するアンプと、音声テストデータ発生部から出力された音声テストデータを他の装置に出力するデータ出力部と、データ出力部から出力したデータを入力した他の装置から出力される音声テスト信号を入力する音声テスト信号入力手段と、音声テスト信号入力手段が音声テスト信号を入力するまでの第１の遅延時間と、アンプが音声テスト信号を出力するまでの第２の遅延時間を算出する制御部とを備え、制御部は、第２の遅延時間が第１の遅延時間と略同一となるように遅延量を変化させて音声テスト信号を出力制御する。【選択図】      図１
2013123166.tif 000002
【特許請求の範囲】
【請求項１】
再生装置から映像信号及び音声信号を含むデータを入力し、当該データを他の装置に出力すると共に音声信号を増幅して出力するＡＶアンプ装置において、
音声テストデータを出力する音声テストデータ発生部と、
前記音声テストデータ発生部から出力された音声テストデータを遅延させて出力する音声データ遅延部と、
前記音声データ遅延部によって遅延された音声テストデータを増幅された音声テスト信号として出力するアンプと、
前記音声テストデータ発生部から出力された音声テストデータを他の装置に出力するデータ出力部と、
前記データ出力部から出力したデータを入力した他の装置から出力される音声テスト信号を入力する音声テスト信号入力手段と、
前記音声テストデータ発生部が音声テストデータを発生してから前記音声テスト信号入力手段が音声テスト信号を入力するまでの第１の遅延時間と、前記音声テストデータ発生部が音声テストデータを発生してから前記アンプが音声テスト信号を出力するまでの第２の遅延時間を算出する制御部とを備え、
前記制御部は、前記第２の遅延時間が前記第１の遅延時間と略同一となるように遅延量を変化させて音声テスト信号を出力するよう前記音声データ遅延部を制御することを特徴とするＡＶアンプ装置。
【請求項２】
請求項１に記載のＡＶアンプ装置において、前記音声テスト信号入力手段は、前記他の装置のスピーカから出力される音声テスト信号を入力するマイクであることを特徴とするＡＶアンプ装置。
【請求項３】
請求項１に記載のＡＶアンプ装置において、前記音声テスト信号入力手段は、前記他の装置の出力端子から出力される音声テスト信号を入力する音声入力端子であることを特徴とするＡＶアンプ装置。
【請求項４】
請求項１に記載のＡＶアンプ装置において、
前記他の装置は、ＴＶ装置であることを特徴とするＡＶアンプ装置。
【発明の詳細な説明】
【技術分野】
【０００１】
本発明は、再生装置から映像信号及び音声信号を含むデータを入力し、当該データをＴＶ装置に出力すると共に音声信号を増幅して出力するＡＶアンプに関する。
【背景技術】
【０００２】
従来、ＨＤＭＩケーブルによって再生装置、ＡＶアンプ装置及び液晶テレビなどのＴＶ装置を接続し、ＣＤ（Compact Disk）プレーヤ、ＤＶＤ（Digital Versatile Disk）プレーヤ等の再生装置によって再生させた映像データと音声データをＨＤＭＩ（High-Definition Multimedia Interface）データとし、このＨＤＭＩデータをＨＤＭＩケーブルを介してＡＶアンプ装置及びＴＶ装置に出力する場合がある。この場合、ＡＶアンプ装置は、入力したＨＤＭＩデータから音声データを抽出して、この音声データをＡＶアンプ装置に接続されたスピーカから出力し、一方、ＴＶ装置は、入力したＨＤＭＩデータから映像データ及び音声データを抽出して、この抽出した映像データを液晶パネルなどで表示する。
【０００３】
このように、ＡＶアンプ装置及びＴＶ装置をＨＤＭＩケーブルによって接続し、再生装置から出力されたＨＤＭＩデータから抽出した映像信号をＴＶ装置によって表示すると共にＨＤＭＩデータから抽出した音声信号をＡＶアンプ装置に接続したスピーカから出力することによって、ユーザーは映画やライブ動画を楽しむことができる。
【０００４】
このように、ＡＶアンプ装置及びＴＶ装置をＨＤＭＩケーブルによって接続し、入力したＨＤＭＩデータを処理して映像信号及び音声信号を出力する場合、通常、音声信号を処理する時間より、映像信号を処理する時間のほうが長い時間を要する。これは、入力した映像データを画面上に正確かつ美しく表示するために様々な加工処理を施す必要があるためである。このため、入力したＨＤＭＩデータをＴＶ装置によって映像信号として表示すると共に入力したＨＤＭＩデータをＡＶアンプ装置に接続されたスピーカから音声信号として出力する場合、ＴＶ装置から出力させる映像信号のタイミングとＡＶアンプ装置に接続されたスピーカから出力させる音声信号のタイミングを合わせるために、リップシンクと言われる補正処理をＡＶアンプ装置の内部回路によって施す必要がある。
【０００５】
従来のＡＶアンプ装置とＴＶ装置との間でリップシンクを実現する構成として、例えば、液晶テレビなどのＴＶ装置とＡＶアンプ装置をＨＤＭＩケーブルによって接続して再生装置が再生する映像及び音声を出力する場合、ＨＤＭＩ接続を行うための構成バージョンがＨＤＭＩ Ｖｅｒ．１．３ａ以降の装置同士を接続する場合には、それぞれの装置にオートリップシンク機能が搭載されているものがある。この、ＨＤＭＩ Ｖｅｒ．１．３ａ以降の装置同士を接続した場合のオートリップシンク機能は、ＴＶ装置自体が持っている映像信号入力時から映像再生時までの映像再生遅延時間を、ＨＤＭＩケーブルを介してＴＶ装置側とデータ情報として交換して、ＡＶアンプ装置側でＴＶ装置の映像再生遅延時間に合わせて音声再生時間を遅延させ、ＴＶ装置が表示する映像とＡＶアンプ装置に接続されたスピーカが出力する音声が同時に再生されるようにしてリップシンクを実現させる（例えば、特許文献１参照）。
【先行技術文献】
【特許文献】
【０００６】
【特許文献１】国際公開ＷＯ２００６／１１８１０６号公報
【発明の概要】
【発明が解決しようとする課題】
【０００７】
このように、それぞれの装置をＨＤＭＩケーブルで接続するＡＶ装置同士であって、それぞれの装置がＨＤＭＩ Ｖｅｒ．１．３ａ以降である場合は、前述したオートリップシンク機能を用いることによって容易にリップシンクを実現することができる。
【０００８】
しかし、例えば、ＡＶアンプ装置とＴＶ装置をそれぞれＨＤＭＩケーブルで接続する場合、どちらかの装置の一方が旧型の装置であり、ＨＤＭＩケーブルの接続バージョンがＨＤＭＩ Ｖｅｒ．１．３ａより前のバージョンの機器である場合は、前述したようにＴＶ装置の映像再生遅延時間の情報をＡＶアンプ装置が得ることができないため、前述したオートリップシンク機能を用いることができない。このため、ユーザーが実際にＴＶ装置によって表示される映像を見ると同時に、ＡＶアンプ装置から出力されスピーカから放音される音声を聞いて、ＡＶアンプ装置から出力される音声とＴＶ装置が表示する映像の同期がとれるように、ＡＶアンプ装置側の音声再生遅延時間の設定を手動で調整する必要がある。この音声再生遅延時間の設定を手動で行う場合には、映像と音声を同期させるための熟練度が必要とされるため、容易にリップシンクを実現することが困難であった。
【０００９】
本発明は、ＴＶ装置とＨＤＭＩケーブルで接続するＡＶアンプ装置において、ＡＶアンプ装置及びＴＶ装置の接続バージョンがＨＤＭＩ Ｖｅｒ．１．３ａ以上でなくとも、容易に高精度なリップシンクを実現するＡＶアンプ装置を提供することを目的とする。
【課題を解決するための手段】
【００１０】
本願の請求項１記載の発明は、再生装置から映像信号及び音声信号を含むデータを入力し、当該データを他の装置に出力すると共に音声信号を増幅して出力するＡＶアンプ装置において、音声テストデータを出力する音声テストデータ発生部と、前記音声テストデータ発生部から出力された音声テストデータを遅延させて出力する音声データ遅延部と、前記音声データ遅延部によって遅延された音声テストデータを増幅された音声テスト信号として出力するアンプと、前記音声テストデータ発生部から出力された音声テストデータを他の装置に出力するデータ出力部と、前記データ出力部から出力したデータを入力した他の装置から出力される音声テスト信号を入力する音声テスト信号入力手段と、前記音声テストデータ発生部が音声テストデータを発生してから前記音声テスト信号入力手段が音声テスト信号を入力するまでの第１の遅延時間と、前記音声テストデータ発生部が音声テストデータを発生してから前記アンプが音声テスト信号を出力するまでの第２の遅延時間を算出する制御部とを備え、前記制御部は、前記第２の遅延時間が前記第１の遅延時間と略同一となるように遅延量を変化させて音声テスト信号を出力するよう前記音声データ遅延部を制御することを特徴とする。
【００１１】
本願の請求項２記載の発明は、請求項１に記載のＡＶアンプ装置において、前記音声テスト信号入力手段は、前記他の装置のスピーカから出力される音声テスト信号を入力するマイクであることを特徴とする。
【００１２】
本願の請求項３記載の発明は、請求項１に記載のＡＶアンプ装置において、前記音声テスト信号入力手段は、前記他の装置の出力端子から出力される音声テスト信号を入力する音声入力端子であることを特徴とする。
【００１３】
本願の請求項４記載の発明は、請求項１に記載のＡＶアンプ装置において、前記他の装置は、ＴＶ装置であることを特徴とする。
【発明の効果】
【００１４】
本発明によれば、ＴＶ装置とＨＤＭＩケーブルで接続するＡＶアンプ装置において、ＡＶアンプ装置及びＴＶ装置の接続バージョンがＨＤＭＩ Ｖｅｒ．１．３ａ以上でなくとも、容易に高精度なリップシンクを実現するＡＶアンプ装置を提供することができる。
【図面の簡単な説明】
【００１５】
【図１】本発明の一実施例であるＡＶアンプ装置をＨＤＭＩケーブルによってＴＶ装置と接続した場合の構成を示すブロック図。
【図２】本実施例のＡＶアンプ装置１００において、リップシンク調整を行う場合の動作を示すフローチャート図。
【図３】本発明の他の実施例であるＡＶアンプ装置をＨＤＭＩケーブルによってＴＶ装置と接続した場合の構成を示すブロック図。
【発明を実施するための形態】
【００１６】
本発明の実施の形態を図面を参照して説明する。
【００１７】
図１は、本発明の一実施例であるＡＶアンプ装置をＨＤＭＩケーブルによってＴＶ装置と接続した場合の構成を示すブロック図である。
【００１８】
ＡＶアンプ装置１００は、セットアップマイク１、Ｄ／Ａコンバータ２、音声データ遅延部３、マイコン制御部４、音声テストデータ発生部５、アンプ６、ＨＤＭＩデータ入力部９、信号処理部１０、ＨＤＭＩデータ出力部１２及び操作部１５を備える。アンプ６には、スピーカ７が接続されている。
【００１９】
ＴＶ装置２００は、ＨＤＭＩデータを入力可能であり、入力したＨＤＭＩデータに含まれている映像データ及び音声データに基づいて、装置内に備える液晶パネル等から映像を表示すると共に、装置内に備えるスピーカから音声を出力する従来から広く用いられている液晶ＴＶ装置やプラズマＴＶ装置やプロジェクタ装置などである。ＴＶ装置２００は、ＨＤＭＩデータ入力部２０、信号処理部２１、表示部２２、Ｄ／Ａコンバータ２３、アンプ２４及びスピーカ２５を備える。
【００２０】
先ず、ＡＶアンプ装置１００の構成について説明する。
ＨＤＭＩデータ入力部９は、外部の再生装置から図示しないＨＤＭＩケーブルを介してＨＤＭＩデータを入力し、入力したＨＤＭＩデータをＨＤＭＩデータ出力部１２及び信号処理部１０に出力する。ＨＤＭＩデータ出力部１２は、ＨＤＭＩケーブル３０によって、ＴＶ装置２００のＨＤＭＩデータ入力部２０と接続される。ＨＤＭＩデータ出力部１２は、ＨＤＭＩデータ入力部９から入力したＨＤＭＩデータをＨＤＭＩケーブル３０を介してＴＶ装置２００のＨＤＭＩデータ入力部２０に出力する。
【００２１】
信号処理部１０は、ＨＤＭＩデータ入力部９から出力されたＨＤＭＩデータから音声データを抽出し、抽出した音声データを音声データ遅延部３に出力する。音声データ遅延部３は、マイコン制御部４の制御に基づいて、信号処理部１０から出力された音声データを遅延処理し、遅延処理した音声データをＤ／Ａコンバータ２に出力する。音声データ遅延部３による音声データの遅延量は、マイコン制御部４の制御に応じて変化可能に成されている。Ｄ／Ａコンバータ２は、音声データ遅延部３から出力された音声データをアナログの音声信号に変換し、変換した音声信号をアンプ６に出力する。アンプ６は、マイコン制御部４の制御に基づいて、Ｄ／Ａコンバータ２から出力された音声信号を増幅し、スピーカ７に出力する。アンプ６による音声信号の増幅量は、マイコン制御部４の制御に応じて変化可能に成されている。スピーカ７は、アンプ６から出力された音声信号を外部に放音する。
【００２２】
操作部１５は、ユーザからの各種操作指示を受け付け、受け付けた各種操作指示を指示信号としてマイコン制御部４に出力する。マイコン制御部４は、操作部１５からの操作指示信号に基づいてＡＶアンプ装置１００全体を制御する。セットアップマイク１は、外部の音声を集音し、集音した音声を音声信号としてマイコン制御部４に出力する。
【００２３】
音声テストデータ発生部５は、マイコン制御部４の制御に応じて音声テストデータを発生させ、発生させた音声テストデータをＨＤＭＩデータ出力部１２及び音声データ遅延部３に出力する。音声データ遅延部３は、音声テストデータ発生部５から音声テストデータを入力すると、マイコン制御部４の制御に応じた所定の遅延量だけ音声テストデータを遅延させてＤ／Ａコンバータ２に出力する。ＨＤＭＩデータ出力部１２は、音声テストデータ発生部５から音声テストデータを入力すると、マイコン制御部４の制御に基づいて、入力した音声テストデータをＨＤＭＩデータに変換してＴＶ装置２００のＨＤＭＩデータ入力部２０にＨＤＭＩケーブル３０を介して出力する。
【００２４】
次に、ＴＶ装置２００の構成について説明する。なお、前述したように、ＴＶ装置２００は、従来から広く用いられている液晶ＴＶ装置やプラズマＴＶ装置やプロジェクタ装置などであり、後述する構成に限らず、様々な構成となっていても良い。
ＨＤＭＩデータ入力部２０は、ＨＤＭＩデータ出力部１２から出力されたＨＤＭＩデータを入力し、入力したＨＤＭＩデータを信号処理部２１に出力する。信号処理部２１は、ＨＤＭＩデータ入力部２０から出力されたＨＤＭＩデータから映像データ及び音声データを抽出する。信号処理部２１は、ＨＤＭＩデータから抽出した映像データを表示部２２に出力すると共に、ＨＤＭＩデータから抽出した音声データをＤ／Ａコンバータ２３に出力する。表示部２２は、信号処理部２１から出力された映像データを液晶パネル等によって表示する。
【００２５】
Ｄ／Ａコンバータ２３は、信号処理部２１から出力された音声データをアナログの音声信号に変換し、変換した音声信号をアンプ２４に出力する。アンプ２４は、Ｄ／Ａコンバータ２３から出力された音声信号を増幅し、スピーカ２５に出力する。スピーカ２５は、アンプ２４から出力された音声信号を外部に放音する。
【００２６】
再生装置から出力されたＨＤＭＩデータをＡＶアンプ装置１００及びＴＶ装置２００によって通常再生する場合、ＡＶアンプ装置１００は、再生装置から出力されたＨＤＭＩデータから音声データを抽出し、抽出した音声データを信号処理部１０、音声データ遅延部３、Ｄ／Ａコンバータ２及びアンプ６を介してスピーカ７から音声信号として出力し、一方、ＴＶ装置２００は、ＨＤＭＩデータ入力部２０から入力したＨＤＭＩデータから映像データ及び音声データを抽出し、抽出した映像データを信号処理部２１を介して表示部２２によって表示すると共に、抽出した音声データを信号処理部２１、Ｄ／Ａコンバータ２３及びアンプ２４を介してスピーカ２５から音声信号として出力する。
【００２７】
図２は、本実施例のＡＶアンプ装置１００において、リップシンク調整を行う場合の動作を示すフローチャート図である。
【００２８】
本実施例においては、リップシンク調整の動作がなされている間、アンプ６は、マイコン制御部４の制御により音声信号の増幅量は最小に設定されるものとする。
【００２９】
ユーザが操作部１５を操作してリップシンク調整が指示されると、操作部１５はリップシンク調整を指示する指示信号をマイコン制御部４に出力する。マイコン制御部４は、操作部１５からリップシンク調整指示信号が出力されると、先ず、音声データ遅延部３による音声データの遅延量を最小、つまり、殆ど遅延しないように設定するよう制御する（ステップＳ１）。次に、マイコン制御部４は、音声テストデータ発生部５から音声テストデータを発生するよう制御する。音声テストデータ発生部５は、マイコン制御部４の制御に応じて音声テストデータを発生させる（ステップＳ２）。音声テストデータ発生部５から発生した音声テストデータは、ＨＤＭＩデータ出力部１２及び音声データ遅延部３に同時に出力される。
【００３０】
音声データ遅延部３は、音声テストデータ発生部５からテスト信号が出力されると、マイコン制御部４の制御により、音声テストデータ発生部５から音声テストデータを入力し、音声テストデータの遅延量を最小としてＤ／Ａコンバータ２に出力する。Ｄ／Ａコンバータ２は、入力した音声テストデータをアナログの音声テスト信号に変換してアンプ６に出力する。アンプ６は、リップシンク調整を行っている間、マイコン制御部４の制御により、入力された音声テスト信号の増幅量を最小、つまり、殆ど増幅しないよう予め設定されている。このため、アンプ６は、Ｄ／Ａコンバータ２から入力した音声テスト信号を殆どスピーカ７に出力しない。
【００３１】
ＨＤＭＩデータ出力部１２は、音声テストデータ発生部５から音声テストデータを入力すると、マイコン制御部４の制御に基づいて、入力した音声テストデータをＨＤＭＩデータに変換してＴＶ装置２００のＨＤＭＩデータ入力部２０にＨＤＭＩケーブル３０を介して出力する。
【００３２】
ＴＶ装置２００のＨＤＭＩデータ入力部２０は、ＨＤＭＩデータ出力部１２からＨＤＭＩケーブル３０を介してＨＤＭＩデータを入力すると、入力したＨＤＭＩデータを信号処理部２１に出力する。信号処理部２１は、ＨＤＭＩデータ入力部２０から出力されたＨＤＭＩデータから音声テストデータを抽出する。信号処理部２１は、ＨＤＭＩデータから抽出した映像データを表示部２２に出力すると共にＨＤＭＩデータから抽出した音声テストデータをＤ／Ａコンバータ２３に出力する。信号処理部２１から出力された音声テストデータは、Ｄ／Ａコンバータ２３によってアナログ音声テスト信号に変換され、また、アンプ２４によって音声テスト信号が増幅されてスピーカ２５に出力される。スピーカ２５は、アンプ２４によって増幅された音声テスト信号を外部に出力する（ステップＳ３）。
【００３３】
スピーカ２５から出力された音声テスト信号は、予めスピーカ２５に近接した位置に配置されたセットアップマイク１に入力される（ステップＳ４）。セットアップマイク１は、入力した音声テスト信号をマイコン制御部４に出力する。
【００３４】
マイコン制御部４は、セットアップマイク１から入力された音声テスト信号に基づいて、音声テストデータ発生部５が音声テストデータを発生してから、セットアップマイク１がＴＶ装置２００のスピーカ２５から音声テスト信号を入力するまでの遅延時間（第１の遅延時間）を算出する（ステップＳ５）。また、マイコン制御部４は、音声テストデータ発生部５が音声テストデータを発生してから、この音声テストデータが音声データ遅延部３によって遅延され、また、Ｄ／Ａコンバータ２によってアナログの音声テスト信号に変換された後、当該音声テスト信号がアンプ６によって増幅され出力されるまでの遅延時間（第２の遅延時間）を算出する（ステップＳ６）。
【００３５】
マイコン制御部４は、算出した第１の遅延時間と第２の遅延時間を比較し、第２の遅延時間が第１の遅延時間より小さいか否かを判定する（ステップＳ７）。マイコン制御部４は、第２の遅延時間が第１の遅延時間より小さい場合（ステップＳ７においてＹＥＳの場合）、マイコン制御部４は、音声データ遅延部３が音声遅延回路によって遅延する入力した音声テストデータの遅延量を１ステップ増加、つまり、１ステップだけ遅延時間を増加させるよう制御し（ステップＳ８）、ステップＳ２に戻る。
【００３６】
ステップＳ７において、マイコン制御部４は、第２の遅延時間が第１の遅延時間より小さくなくなった場合（ステップＳ６においてＮＯの場合）、ステップＳ９に移行し、音声データ遅延部３による音声テストデータの遅延量の値を保存した後、リップシンク調整を終了する。
【００３７】
このリップシンク調整が終了した後、ＡＶアンプ装置１００が再生装置から入力したＨＤＭＩデータから抽出した音声データを増幅してスピーカ７に出力する場合、マイコン制御部４は、信号処理部１０から出力された音声データの遅延量を保存した遅延量の値だけ遅延させて出力するよう音声データ遅延部３を制御する。
【００３８】
以上の動作により、ＡＶアンプ装置１００は、マイコン制御部４の制御により、音声テストデータ発生部５が音声テストデータを発生してから、セットアップマイク１がＴＶ装置２００のスピーカ２５から音声テスト信号を入力するまでの遅延時間（第１の遅延時間）を算出すると共に、音声テストデータ発生部５が音声テストデータを発生してから、この音声テストデータが音声データ遅延部３によって遅延されアンプ６から音声テスト信号が出力されるまでの遅延時間（第２の遅延時間）を算出し、第２の遅延時間が第１の遅延時間より小さい場合、つまり、アンプ６から音声テスト信号が出力されるまでのタイミングが、ＴＶ装置２００のスピーカ２５から音声テスト信号が出力されるタイミングより早い場合、音声データ遅延部３による音声信号の遅延量を１ステップ増加、つまり、音声データ遅延部３から音声データが出力されるタイミングを１ステップ遅くする。そして、このステップＳ２からステップＳ７までの動作を繰り返し行い、アンプ６から音声テスト信号が出力されるまでのタイミングが、ＴＶ装置２００のスピーカ２５から音声テスト信号が出力されるタイミングより早くなくなった状態となった場合に、リップシンク調整を終了させることにより、ＡＶアンプ装置１００のアンプ６から音声信号が出力されるタイミングと、ＴＶ装置２００のスピーカ２５から音声信号が出力されるタイミングを、略同時に合わせることが可能となる。
【００３９】
通常のＴＶ装置は、入力したＨＤＭＩデータに基づいて、装置内に備える表示部から映像信号を表示すると共に、装置内に備えるスピーカから音声信号を出力する構成であるため、表示部から出力する映像信号とスピーカから出力する音声信号のタイミングを合わせるためのリップシンクを実現しておく必要がある。このため、装置内に表示部とスピーカを備えた通常のＴＶ装置は、装置内に映像信号と音声信号の遅延量を補正する補正回路等を備え、表示部から出力する映像信号とスピーカから出力する音声信号のリップシンクが実現されていると推定できる。
【００４０】
本実施例のＡＶアンプ装置１００は、ＴＶ装置２００の表示部２２から出力される映像信号とスピーカ２５から出力される音声信号のリップシンクがＴＶ装置２００の内部の補正回路等によって実現されていると推定できるため、ＴＶ装置２００のスピーカ２５から出力される音声信号のタイミングと、ＡＶアンプ装置１００のアンプ６から出力する音声信号のタイミングが、略同時のタイミングとなるように音声データ遅延部３の遅延量を補正することによって、ＴＶ装置２００の表示部２２から出力する映像信号とＡＶアンプ装置１００のアンプ６から出力する音声信号のリップシンクを実現することができる。
【００４１】
このように、本実施例のＡＶアンプ装置１００は、ＴＶ装置２００のスピーカ２５から出力される音声信号のタイミングと、ＡＶアンプ装置１００のアンプ６から出力する音声信号のタイミングが、略同時のタイミングとなるように音声データ遅延部３の遅延量を補正することによって、ＴＶ装置２００の表示部２２から出力する映像信号とＡＶアンプ装置１００のアンプ６から出力する音声信号のリップシンクを実現することができるため、例えば、ＡＶアンプ装置１００及びＴＶ装置２００のどちらか一方または双方のＨＤＭＩケーブルの接続バージョンがＨＤＭＩ Ｖｅｒ．１．３ａより前のバージョンの装置であり、ＨＤＭＩケーブルを介してＴＶ装置２００の映像再生遅延時間の情報をＡＶアンプ装置１００が得ることができない場合でも、ＴＶ装置２００の表示部２２から出力する映像信号とＡＶアンプ装置１００のアンプ６から出力する音声信号のリップシンクを容易に高精度で実現することができる。
【００４２】
本実施例のＡＶアンプ装置１００は、ＴＶ装置２００のスピーカ２５から出力される音声信号のタイミングと、ＡＶアンプ装置１００のアンプ６から出力する音声信号のタイミングが、略同時のタイミングとなるように音声データ遅延部３の遅延量を補正することによって、ＴＶ装置２００の表示部２２から出力する映像信号とＡＶアンプ装置１００のアンプ６から出力する音声信号のリップシンクを実現する構成であるため、装置の内部に音声テストデータを出力する音声テストデータ発生部５を備えるのみで、容易にリップシンクを実現することができるため、ＡＶアンプ装置１００の装置内にリップシンクを実現するための高精度の補正回路等を備える必要がない。このため、ＡＶアンプ装置１００の製造コストを安価にすることができる。
【００４３】
本実施例のＡＶアンプ装置１００は、音声テストデータ発生部５が音声テストデータを音声データ遅延部３とＨＤＭＩデータ出力部１２に同時に出力し、音声テストデータ発生部５が音声テストデータを発生してから音声データ遅延部３及びＤ／Ａコンバータ２を介してＡＶアンプ装置１００のアンプ６から音声テスト信号が出力されるまでの遅延時間（第２の遅延時間）と、音声テストデータ発生部５が音声テストデータを発生してからＨＤＭＩデータ出力部１２及びＨＤＭＩデータ入力部２０等を介してＴＶ装置２００のスピーカ２５から音声テスト信号が出力されるまでの遅延時間（第１の遅延時間）を比較することによってリップシンクを行う構成としたが、音声テストデータ発生部５が音声テストデータを音声データ遅延部３とＨＤＭＩデータ出力部１２に同時に出力するのではなく、例えば、先ず、音声テストデータ発生部５が音声テストデータを音声データ遅延部３に出力し、音声テストデータ発生部５が音声テストデータを発生してから音声データ遅延部３及びＤ／Ａコンバータ２を介してＡＶアンプ装置１００のアンプ６から音声テスト信号が出力されるまでの遅延時間（第２の遅延時間）を測定し、次に、再度、音声テストデータ発生部５が音声テストデータをＨＤＭＩデータ出力部１２に出力し、音声テストデータ発生部５が音声テストデータを発生してからＨＤＭＩデータ出力部１２及びＨＤＭＩデータ入力部２０等を介してＴＶ装置２００のスピーカ２５から音声テスト信号が出力されるまでの遅延時間（第１の遅延時間）を測定した後、双方の遅延時間を比較することによってリップシンクを行う構成としても良い。
【００４４】
本実施例のＡＶアンプ装置１００は、算出した第１の遅延時間と第２の遅延時間を比較し、第２の遅延時間が第１の遅延時間より小さい場合、音声データ遅延部３が音声遅延回路によって遅延する入力した音声テストデータの遅延量を１ステップ増加、つまり、１ステップだけ遅延時間を増加させるよう制御する動作を繰り返し行い、第２の遅延時間が第１の遅延時間より小さくなくなった場合にリップシンク調整を終了する構成としたが、第１の遅延時間と第２の遅延時間を略同一にすることができ、リップシンク調整を完了させることができるのであれば、前述した動作を行わずとも、例えば、１回のテスト信号の出力によって第１の遅延時間と第２の遅延時間を算出し、その後は、第１の遅延時間と第２の遅延時間が略同一の時間となるように音声データ遅延部３による遅延時間を設定させる構成としてもよい。
【００４５】
本実施例のＡＶアンプ装置１００は、音声テストデータ発生部５が音声テストデータを発生させ、音声データ遅延部３で音声テストデータの遅延処理を行った後にＤ／Ａコンバータ２によってアナログの音声テスト信号に変換する構成としたが、音声データ遅延部３によってアナログの音声信号の遅延処理が行えるのであれば、音声テストデータ発生部からアナログの音声テスト信号を発生させる構成としても良い。
【００４６】
本実施例のＡＶアンプ装置１００は、ＴＶ装置２００とＨＤＭＩケーブルによって接続し、当該ＨＤＭＩケーブルによってＨＤＭＩデータを出力する構成としたが、映像データ及び音声データを含むデータであればＨＤＭＩデータでなくとも任意のデータであっても良く、また、このようなデータを出力可能であれば、ＨＤＭＩケーブルでなくとも、任意のケーブルまたは、無線送信によってデータを送信する構成としても良い。
【００４７】
本実施例のＡＶアンプ装置１００は、ＴＶ装置２００のスピーカ２５から出力された音声信号をセットアップマイク１によって入力する構成としたが、例えば、ＴＶ装置にイヤホン端子が備えられている場合は、このＴＶ装置のイヤホン端子から出力される音声信号を入力する音声入力端子を備える構成としても良い。
【００４８】
図３は、本発明の他の実施例であるＡＶアンプ装置をＨＤＭＩケーブルによってＴＶ装置と接続した場合の構成を示すブロック図である。
【００４９】
ＡＶアンプ装置１０１は、前述の実施例で説明した構成と同様の構成に加えて、音声入力端子１３を備える。また、ＴＶ装置２０１は、前述の実施例で説明した構成と同様の構成に加えて、イヤホン端子２６を備える。ＴＶ装置２０１のイヤホン端子２６とＡＶアンプ装置１００の音声入力端子１３は音声ケーブル８によって接続されている。
図３においては、図１と同一符号の構成については、同一の動作を行うものとして説明を省略する。
【００５０】
ＴＶ装置２０１のイヤホン端子２６は、アンプ２４から音声信号が出力されると、この音声信号を音声ケーブル８を介して音声入力端子１３に出力する。音声入力端子１３は、音声ケーブル８を介してイヤホン端子２６から出力された音声信号を入力する。
【００５１】
ユーザが操作部１５を操作してリップシンク調整が指示されると、音声テストデータ発生部５は、マイコン制御部４の制御に応じて音声テストデータを発生させ、この音声テストデータは、ＨＤＭＩデータ出力部１２に出力されると共に音声データ遅延部３に出力される。そして、ＴＶ装置２０１のイヤホン端子２６からは、ＨＤＭＩデータ入力部２０、信号処理部２１、Ｄ／Ａコンバータ２３及びアンプ２４を介して音声テスト信号が出力される。音声入力端子１３は、音声ケーブル８を介してイヤホン端子２６から音声テスト信号を入力する。
【００５２】
マイコン制御部４は、音声入力端子１３に入力された音声テスト信号に基づいて、音声テストデータ発生部５が音声テストデータを発生してから、音声入力端子１３がＴＶ装置２０１のイヤホン端子２６から音声テスト信号を入力するまでの遅延時間（第１の遅延時間）を算出する。また、マイコン制御部４は、音声テストデータ発生部５が音声テストデータを発生してから、この音声テストデータが音声データ遅延部３によって遅延され、また、Ｄ／Ａコンバータ２によってアナログの音声テスト信号に変換された後、当該音声テスト信号がアンプ６から出力されるまでの遅延時間（第２の遅延時間）を算出する。マイコン制御部４は、算出した第１の遅延時間と第２の遅延時間を比較し、第２の遅延時間が第１の遅延時間より小さいか否かを判定する。マイコン制御部４は、第２の遅延時間が第１の遅延時間より小さい場合、音声データ遅延部３が音声遅延回路によって遅延する入力した音声テストデータの遅延量を１ステップ増加、つまり、１ステップだけ遅延時間を増加させるよう制御する。そして、再度、音声テストデータ発生部５から音声テストデータを出力させ、前述したような動作を繰り返し行い、第２の遅延時間が第１の遅延時間より小さくなくなった場合、音声データ遅延部３による音声テストデータの遅延量の値を保存した後、リップシンク調整を終了する。
【００５３】
以上の動作により、本発明の他の実施例のＡＶアンプ装置１０１は、ＴＶ装置２０１のイヤホン端子２６から出力される音声信号のタイミングと、ＡＶアンプ装置１０１のアンプ６から出力する音声信号のタイミングが略同時のタイミングとなるように音声データ遅延部３の遅延量を補正することによって、ＴＶ装置２０１の表示部２２から出力する映像信号とＡＶアンプ装置１０１のアンプ６から出力する音声信号のリップシンクを実現することができる。
【００５４】
図１で説明したような、スピーカ２５から出力した音声テスト信号をセットアップマイク１によって入力する構成の場合は、スピーカ２５とセットアップマイク１の間に空間が存在するため、例えば、周囲に騒音が生じている場合、スピーカ２５から出力された音声テスト信号をセットアップマイク１が正確に入力することができない虞がある。
【００５５】
このように、本発明の他の実施例のＡＶアンプ装置１０１は、イヤホン端子２６から出力された音声テスト信号を音声ケーブル８を介して音声入力端子１３によって入力する構成としたことにより、例えば、周囲に騒音が生じている場合に、スピーカ２５から出力された音声テスト信号をセットアップマイク１が正確に入力することができなくなることを防止することができる。
【００５６】
本発明の他の実施例のＡＶアンプ装置１０１は、イヤホン端子２６から出力された音声テスト信号を音声ケーブル８を介して音声入力端子１３によって入力する構成としたが、ＴＶ装置２００から出力される音声テスト信号を入力できるのであれば、イヤホン端子２６でなくとも、他の出力端子から音声テスト信号を入力するようにしても良い。
【産業上の利用可能性】
【００５７】
本発明は、再生装置から映像信号及び音声信号を含むデータを入力し、当該データをＴＶ装置に出力すると共に音声信号を増幅して出力するＡＶアンプ装置に有用に用いることができる。
【符号の説明】
【００５８】
１００  ＡＶアンプ装置、
１  セットアップマイク、２  Ｄ／Ａコンバータ。３  音声データ遅延部、
４  マイコン制御部、５  音声テストデータ発生部、６  アンプ、７  スピーカ、
８  音声ケーブル、９  ＨＤＭＩデータ入力部、１０  信号処理部、
１２  ＨＤＭＩデータ出力部、１３  音声入力端子、１５  操作部、
２００  ＴＶ装置、
２０  ＨＤＭＩデータ入力部、２１  信号処理部、２２  表示部、
２３  Ｄ／Ａコンバータ、２４  アンプ、２５  スピーカ、２６  イヤホン端子、
３０  ＨＤＭＩケーブル、
１０１  ＡＶアンプ装置、２０１  ＴＶ装置
【図１】
2013123166.tif 000003
【図２】
2013123166.tif 000004
【図３】
2013123166.tif 000005